【手続補正書】
【提出日】平成28年6月28日(2016.6.28)
【手続補正１】
【補正対象書類名】明細書
【補正対象項目名】０００６
【補正方法】変更
【補正の内容】
【０００６】
本発明の一態様は、空気（大気、外気）に含まれる化学物質に関連する化学物質関連情報を取得する検出ユニットを備えた端末との間で情報を交換する通信ユニットと、端末から、検出ユニットにより得られた化学物質関連情報の変化を含むイベント情報を取得する機能（機能ユニット）を有する装置である。検出ユニットは不特定の化学物質に関連する化学物質関連情報をスペクトルとして出力する分析型の複数のタイプの何れかのタイプのセンサーを含み、取得する機能は、何れかのタイプのセンサーが出力したスペクトルを含むイベント情報を取得する機能を含む。さらに、当該装置は、特定の提供者が提供する第１の商品またはサービスに関する匂いを複数タイプのセンサーのそれぞれにより検出したときのセンサータイプ毎の商品・サービス固有のスペクトルフィーチャ、および第１の商品またはサービスに関し、特定の提供者が開示を許可した範囲のコンテンツを格納した第１のデータベースと、汎用の化学物質情報を格納した第２のデータベースと、イベント情報に含まれる何れかのタイプのセンサーが出力したスペクトルと、第１のデータベースに格納されたセンサータイプ毎の商品・サービス固有のスペクトルフィーチャの何れかとが一致すると、イベント情報に含まれる何れかのタイプのセンサーが出力したスペクトルから複数の化学物質の組み合わせを含むレシピを推定せずに、特定の提供者が開示を許可した範囲のコンテンツを端末へ供給し、レシピの開示を阻止する第１の機能と、イベント情報に含まれる何れかのタイプのセンサーが出力したスペクトルと、第１のデータベースに格納されたセンサータイプ毎の商品・サービス固有のスペクトルフィーチャの何れかとが一致しないと、第２のデータベースを用いてレシピを推定する第２の機能と、レシピを含む情報を端末へ供給する第３の機能とを有する。コンテンツを供給することは、コンテンツそのものを供給してもよく、コンテンツを供給しているＵＲＬなどのアドレスを供給してもよい。
【手続補正２】
【補正対象書類名】明細書
【補正対象項目名】００１６
【補正方法】変更
【補正の内容】
【００１６】
第１のデータベースはレシピを含み、第２のステップは、推定されたレシピと、第１のデータベースに格納されたレシピとが一致すると、特定の提供者が許可した範囲のコンテンツを前記端末へ供給し、レシピの開示を阻止してもよい。
【手続補正３】
【補正対象書類名】明細書
【補正対象項目名】００１７
【補正方法】変更
【補正の内容】
【００１７】
本発明のさらに異なる態様の１つはＣＰＵおよびメモリを備えた装置が情報を供給する方法であって、装置が、空気に含まれる化学物質に関連する化学物質関連情報を取得する分析型の複数のタイプの何れかのタイプのセンサーを含む端末から前記何れかのタイプのセンサーが出力したスペクトルを含むイベント情報を取得することを含み、当該装置は、特定の提供者が提供する第１の商品またはサービスに関する匂いを複数タイプのセンサーのそれぞれにより検出したときのセンサータイプ毎の商品・サービス固有のスペクトルフィーチャ、および第１の商品またはサービスに関し、特定の提供者が開示を許可した範囲のコンテンツを格納した第１のデータベースと、汎用の化学物質情報を格納した第２のデータベースとを有する。当該方法は、イベント情報に含まれる何れかのタイプのセンサーが出力したスペクトルと、第１のデータベースに格納されたセンサータイプ毎の商品・サービス固有のスペクトルフィーチャの何れかとが一致すると、イベント情報に含まれる何れかのタイプのセンサーが出力したスペクトルから複数の化学物質の組み合わせを含むレシピを推定せずに、特定の提供者が開示を許可した範囲のコンテンツを端末へ供給し、レシピの開示を阻止する第１のステップと、イベント情報に含まれる何れかのタイプのセンサーが出力したスペクトルと、第１のデータベースに格納されたセンサータイプ毎の商品・サービス固有のスペクトルフィーチャの何れかとが一致しないと、第２のデータベースを用いて前記レシピを推定する第２のステップと、レシピを含む情報を前記端末へ供給する第３のステップとを含む。
【手続補正４】
【補正対象書類名】明細書
【補正対象項目名】００１９
【補正方法】変更
【補正の内容】
【００１９】
第１のデータベースはレシピを含み、第２のステップは、推定されたレシピと、第１のデータベースに格納されたレシピとが一致すると、特定の提供者が許可した範囲のコンテンツを端末へ供給し、レシピの開示を阻止することを含んでもよい。
【手続補正５】
【補正対象書類名】明細書
【補正対象項目名】００２０
【補正方法】変更
【補正の内容】
【００２０】
コンテンツの提供元に対し、第２のステップにおいてコンテンツを供給することに応じて課金することをさらに有してもよい。
【手続補正６】
【補正対象書類名】明細書
【補正対象項目名】００２１
【補正方法】変更
【補正の内容】
【００２１】
本発明のさらに異なる態様の１つは、ＣＰＵと、メモリとを有する装置において実行されるプログラム（プログラム製品）であって、上記の制御を実行するための命令を含む。このプログラム（プログラム製品）は記録媒体（光ディスクなど）に記録して提供してもよく、インターネットなどのコンピュータネットワークを介して提供してもよい。
【手続補正７】
【補正対象書類名】明細書
【補正対象項目名】００２２
【補正方法】変更
【補正の内容】
【００２２】
プログラムはコンテンツの提供元に対し、第１のステップにおいてコンテンツを供給することに応じて課金することを実行する命令をさらに有してもよい。
【手続補正８】
【補正対象書類名】特許請求の範囲
【補正対象項目名】全文
【補正方法】変更
【補正の内容】
【特許請求の範囲】
【請求項１】
空気に含まれる化学物質に関連する化学物質関連情報を取得する検出ユニットを備えた端末との間で情報を交換する通信ユニットと、
前記端末から前記検出ユニットにより得られた化学物質関連情報の変化を含むイベント情報を取得する機能とを有する装置であって、
前記検出ユニットは不特定の化学物質に関連する化学物質関連情報をスペクトルとして出力する分析型の複数のタイプの何れかのタイプのセンサーを含み、
前記取得する機能は、前記何れかのタイプのセンサーが出力したスペクトルを含む前記イベント情報を取得する機能を含み、
さらに、当該装置は、
特定の提供者が提供する第１の商品またはサービスに関する匂いを前記複数タイプのセンサーのそれぞれにより検出したときのセンサータイプ毎の商品・サービス固有のスペクトルフィーチャ、および前記第１の商品またはサービスに関し、前記特定の提供者が開示を許可した範囲のコンテンツを格納した第１のデータベースと、
汎用の化学物質情報を格納した第２のデータベースと、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致すると、前記イベント情報に含まれる前記何れかのタイプのセンサーが出力したスペクトルから複数の化学物質の組み合わせを含むレシピを推定せずに、前記特定の提供者が開示を許可した範囲のコンテンツを前記端末へ供給し、前記レシピの開示を阻止する第１の機能と、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致しないと、前記第２のデータベースを用いて前記レシピを推定する第２の機能と、
前記レシピを含む情報を前記端末へ供給する第３の機能とを有する装置。
【請求項２】
請求項１において、
前記コンテンツの提供元に対し、前記第１の機能が前記コンテンツを供給することに応じて課金する機能をさらに有する、装置。
【請求項３】
請求項１または２において、
前記第１のデータベースは前記レシピを含み、
前記第２の機能は、推定されたレシピと、前記第１のデータベースに格納された前記レシピとが一致すると、前記特定の提供者が開示を許可した範囲のコンテンツを前記端末へ供給し、前記レシピの開示を阻止する機能を含む、装置。
【請求項４】
請求項３において、
前記コンテンツの提供元に対し、前記第２の機能が前記コンテンツを供給することに応じて課金する機能をさらに有する、装置。
【請求項５】
ＣＰＵおよびメモリを備えた装置が情報を供給する方法であって、
前記装置が、空気に含まれる化学物質に関連する化学物質関連情報を取得する分析型の複数のタイプの何れかのタイプのセンサーを含む端末から前記何れかのタイプのセンサーが出力したスペクトルを含むイベント情報を取得することを含み、
当該装置は、
特定の提供者が提供する第１の商品またはサービスに関する匂いを前記複数タイプのセンサーのそれぞれにより検出したときのセンサータイプ毎の商品・サービス固有のスペクトルフィーチャ、および前記第１の商品またはサービスに関し、前記特定の提供者が開示を許可した範囲のコンテンツを格納した第１のデータベースと、
汎用の化学物質情報を格納した第２のデータベースとを有し、
当該方法は、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致すると、前記イベント情報に含まれる前記何れかのタイプのセンサーが出力したスペクトルから複数の化学物質の組み合わせを含むレシピを推定せずに、前記特定の提供者が開示を許可した範囲のコンテンツを前記端末へ供給し、前記レシピの開示を阻止する第１のステップと、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致しないと、前記第２のデータベースを用いて前記レシピを推定する第２のステップと、
前記レシピを含む情報を前記端末へ供給する第３のステップとを有する方法。
【請求項６】
請求項５において、
前記コンテンツの提供元に対し、前記第１のステップにおいてコンテンツを供給することに応じて課金することをさらに有する、方法。
【請求項７】
請求項５または６において、
前記第１のデータベースは前記レシピを含み、
前記第２のステップは、推定されたレシピと、前記第１のデータベースに格納された前記レシピとが一致すると、前記特定の提供者が許可した範囲のコンテンツを前記端末へ供給し、前記レシピの開示を阻止することを含む、方法。
【請求項８】
請求項７において、
前記コンテンツの提供元に対し、前記第２のステップにおいて前記コンテンツを供給することに応じて課金することをさらに有する、方法。
【請求項９】
ＣＰＵおよびメモリを備えた装置において実行されるプログラムであって、
前記装置が、空気に含まれる化学物質に関連する化学物質関連情報を取得する分析型の複数のタイプのいずれかのタイプのセンサー含む端末から前記何れかのタイプのセンサーが出力したスペクトルを含むイベント情報を取得することを実行する命令を有し、
当該装置は、
特定の提供者が提供する第１の商品またはサービスに関する匂いを前記複数タイプのセンサーのそれぞれにより検出したときのセンサータイプ毎の商品・サービス固有のスペクトルフィーチャ、および前記第１の商品またはサービスに関し、前記特定の提供者が開示を許可した範囲のコンテンツを格納した第１のデータベースと、
汎用の化学物質情報を格納した第２のデータベースとを有し、
当該プログラムは、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致すると、前記イベント情報に含まれる前記何れかのタイプのセンサーが出力したスペクトルから複数の化学物質の組み合わせを含むレシピを推定せずに、前記特定の提供者が開示を許可した範囲のコンテンツを前記端末へ供給し、前記レシピの開示を阻止する第１のステップと、
前記イベント情報に含まれる前記何れかのタイプのセンサーが出力したスペクトルと、前記第１のデータベースに格納された前記センサータイプ毎の商品・サービス固有のスペクトルフィーチャの何れかとが一致しないと、前記第２のデータベースを用いて前記レシピを推定する第２のステップと、
前記レシピを含む情報を前記端末へ供給する第３のステップとを実行する命令を有するプログラム。
【請求項１０】
請求項９において、
前記コンテンツの提供元に対し、前記第１のステップにおいて前記コンテンツを供給することに応じて課金することを実行する命令をさらに有する、プログラム。
【請求項１１】
請求項９または１０において、
前記第１のデータベースは前記レシピを含み、
前記第２のステップは、推定されたレシピと、前記第１のデータベースに格納された前記レシピとが一致すると、前記特定の提供者が開示を許可した範囲のコンテンツを前記端末へ供給し、前記レシピの開示を阻止することを含む、プログラム。
【請求項１２】
請求項１１において、
前記コンテンツの提供元に対し、前記第２のステップにおいて前記コンテンツを供給することに応じて課金すること実行する命令をさらに有する、プログラム。